(57)【要約】【課題】本発明は、複数のサービス提供サーバが提供する複数のサービスコンテンツのうちの特定のサービスコンテンツを容易かつ確実にホスト端末に提供することが可能なサービス提供システムの提供を課題とする。【解決手段】本発明のサービス提供システムは、サービス選択サーバが、サービスコードをサービス提供サーバの識別情報と関連付けて登録するサービスコード登録手段と、サービスコード提供端末からホスト端末が受信したサービスコードをホスト端末から受信するサービスコード受信手段と、上記サービスコード受信手段で受信したサービスコードと上記サービスコード登録手段で関連付けられたサービス提供サーバの識別情報を、上記サービスコード受信手段で受信したサービスコードを送信したホスト端末に送信するサービス提供サーバ識別情報送信手段とを備える。【選択図】図１
2018147214.tif 000002
【特許請求の範囲】
【請求項１】
サービスコード提供端末からサービスコードを受信可能なホスト端末とネットワーク通信可能なサービス選択サーバを備え、複数のサービス提供サーバが提供する複数のサービスコンテンツのうちの特定のサービスコンテンツをホスト端末に提供可能に構成されるサービス提供システムであって、
上記サービス選択サーバが、
上記サービスコードを上記サービス提供サーバの識別情報と関連付けて登録するサービスコード登録手段と、
上記サービスコード提供端末から上記ホスト端末が受信したサービスコードを上記ホスト端末から受信するサービスコード受信手段と、
上記サービスコード受信手段で受信したサービスコードと上記サービスコード登録手段で関連付けられたサービス提供サーバの識別情報を、上記サービスコード受信手段で受信したサービスコードを送信したホスト端末に送信するサービス提供サーバ識別情報送信手段と
を備えるサービス提供システム。
【請求項２】
上記サービスコード受信手段が、上記サービスコード提供端末との近距離無線通信によって上記ホスト端末が受信したサービスコードを受信する請求項１に記載のサービス提供システム。
【請求項３】
上記サービスコード提供端末が、超音波によって上記近距離無線通信可能な超音波送信装置である請求項２に記載のサービス提供システム。
【請求項４】
上記サービスコードが、サービスコード提供端末の識別情報及び上記サービスコンテンツに固有のサービス識別情報を含む請求項１、請求項２又は請求項３に記載のサービス提供システム。
【請求項５】
上記サービス選択サーバが、上記サービス提供サーバ識別情報送信手段で識別情報を送信したサービス提供サーバ側にサービス提供仲介料徴収手続きを行う仲介料徴収手段をさらに備える請求項１から請求項４のいずれか１項に記載のサービス提供システム。
【請求項６】
サービスコード提供端末からサービスコードを受信可能なホスト端末とネットワーク通信可能なサービス選択サーバを用い、複数のサービス提供サーバが提供する複数のサービスコンテンツのうちの特定のサービスコンテンツをホスト端末に提供可能に構成されるサービス提供方法であって、
上記サービス選択サーバが、
上記サービスコードを上記サービス提供サーバの識別情報と関連付けて登録するサービスコード登録ステップと、
上記サービスコード提供端末から上記ホスト端末が受信したサービスコードを上記ホスト端末から受信するサービスコード受信ステップと、
上記サービスコード受信ステップで受信したサービスコードと上記サービスコード登録ステップで関連付けられたサービス提供サーバの識別情報を、上記サービスコード受信ステップで受信したサービスコードを送信したホスト端末に送信するサービス提供サーバ識別情報送信ステップと
を備えるサービス提供方法。
【請求項７】
サービスコード提供端末からサービスコードを受信可能なホスト端末とネットワーク通信可能なサービス選択サーバを用い、複数のサービス提供サーバが提供する複数のサービスコンテンツのうちの特定のサービスコンテンツをホスト端末に提供可能に構成されるサービス提供方法をコンピュータに実行させるためのプログラムであって、
上記サービス選択サーバを、
上記サービスコードを上記サービス提供サーバの識別情報と関連付けて登録するサービスコード登録手段と、
上記サービスコード提供端末から上記ホスト端末が受信したサービスコードを上記ホスト端末から受信するサービスコード受信手段と、
上記サービスコード受信手段で受信したサービスコードと上記サービスコード登録手段で関連付けられたサービス提供サーバの識別情報を、上記サービスコード受信手段で受信したサービスコードを送信したホスト端末に送信するサービス提供サーバ識別情報送信手段と
して機能させるためのプログラム。
【発明の詳細な説明】
【技術分野】
【０００１】
本発明は、サービス提供システム、サービス提供方法及びプログラムに関する。
【背景技術】
【０００２】
今日、携帯端末等のホスト端末に特定のサービスコンテンツを提供するサービス提供システムが普及している。一般に、このサービス提供システムは、ホスト端末が特定のサービス提供サーバに接続することで、このサービス提供サーバが提供するサービスコンテンツをホスト端末に使用可能とするものである。このようなサービス提供システムとして、例えば「サービス提供方法、サーバおよび携帯通信装置」（特開２０１０−１１０５８号公報参照）が発案されている。
【先行技術文献】
【特許文献】
【０００３】
【特許文献１】特開２０１０−１１０５８号公報
【発明の概要】
【発明が解決しようとする課題】
【０００４】
上記公報に記載のサービス提供方法は、飲食店等に設置されるリーダライタとの近距離通信に基づいて携帯端末（携帯電話）を所定のサービスを提供するサービス提供サーバ（ＣＣＰ運営サーバ）に接続できるよう構成されている。このサービス提供方法は、携帯端末に接続されたサービス提供サーバが、この携帯端末にデジタルコンテンツ（例えば店舗の特別なクーポン情報等）をダウンロードするためのリンク情報を送信し、このリンクに接続された携帯端末に上記デジタルコンテンツをダウンロードさせるものである。
【０００５】
このように、従来のサービス提供システムは、ホスト端末をサービス提供サーバに直接接続させることで、このサービス提供サーバが提供する特定のサービスコンテンツをホスト端末に取得させるものである。この従来の枠組みにあっては、ホスト端末側でサービス提供サーバを特定しないと、意図しないサービスが起動したり、特定のサービスを利用するためのウェブページ等に接続できないおそれがある。そのため、従来のサービス提供システムは、ホスト端末側でサービス提供サーバを特定することで、このホスト端末をサービス提供サーバに接続している。
【０００６】
しかしながら、この構成によると、サービス毎にサービス提供システムを構築することが必要であるため、１つのサービス提供システムで複数のサービスコンテンツを取り扱うことができない。
【０００７】
本発明は、このような事情に鑑みてなされたものであり、複数のサービス提供サーバが提供する複数のサービスコンテンツのうちの特定のサービスコンテンツを容易かつ確実にホスト端末に提供することが可能なサービス提供システム、サービス提供方法及びプログラムを提供することを課題とする。
【課題を解決するための手段】
【０００８】
上記課題を解決するためになされた本発明に係るサービス提供システムは、サービスコード提供端末からサービスコードを受信可能なホスト端末とネットワーク通信可能なサービス選択サーバを備え、複数のサービス提供サーバが提供する複数のサービスコンテンツのうちの特定のサービスコンテンツをホスト端末に提供可能に構成されるサービス提供システムであって、上記サービス選択サーバが、上記サービスコードを上記サービス提供サーバの識別情報と関連付けて登録するサービスコード登録手段と、上記サービスコード提供端末から上記ホスト端末が受信したサービスコードを上記ホスト端末から受信するサービスコード受信手段と、上記サービスコード受信手段で受信したサービスコードと上記サービスコード登録手段で関連付けられたサービス提供サーバの識別情報を、上記サービスコード受信手段で受信したサービスコードを送信したホスト端末に送信するサービス提供サーバ識別情報送信手段とを備える。
【０００９】
当該サービス提供システムは、サービスコード提供端末からホスト端末が受信したサービスコードをサービス選択サーバが受信し、このサービス選択サーバが上記サービスコードを基に特定のサービス提供サーバの識別情報をホスト端末に送信することができる。そのため、当該サービス提供システムによると、サービス選択サーバから受信したサービス提供サーバの識別情報に基づいて、上記ホスト端末を特定のサービス提供サーバに接続させることができる。これにより、当該サービス提供システムは、複数のサービス提供サーバが提供する複数のサービスコンテンツのうちの特定のサービスコンテンツを容易かつ確実にホスト端末に提供することができる。
【００１０】
上記サービスコード受信手段が、上記サービスコード提供端末との近距離無線通信によって上記ホスト端末が受信したサービスコードを受信するとよい。このように、上記サービスコード受信手段が、上記サービスコード提供端末との近距離無線通信によって上記ホスト端末が受信したサービスコードを受信することによって、上記ホスト端末にサービスコンテンツをより容易かつ確実に提供することができる。
【００１１】
上記サービスコード提供端末が、超音波によって上記近距離無線通信可能な超音波送信装置であるとよい。超音波による近距離無線通信によると、用途や設置場所に応じて無線通信範囲を所望の範囲に制御しやすいので、種々の分野のサービスコンテンツを提供しやすい。
【００１２】
上記サービスコードが、サービスコード提供端末の識別情報及び上記サービスコンテンツに固有のサービス識別情報を含むとよい。このように、上記サービスコードが、サービスコード提供端末の識別情報及び上記サービスコンテンツに固有のサービス識別情報を含むことによって、例えば１つのサービスコード提供端末に複数のサービス識別情報を記憶させておき、必要なサービスコンテンツをユーザが選択することが可能となる。
【００１３】
上記サービス選択サーバが、上記サービス提供サーバ識別情報送信手段で識別情報を送信したサービス提供サーバ側にサービス提供仲介料徴収手続きを行う仲介料徴収手段をさらに備えるとよい。このように、上記サービス選択サーバが、上記サービス提供サーバ識別情報送信手段で識別情報を送信したサービス提供サーバ側にサービス提供仲介料徴収手続きを行う仲介料徴収手段をさらに備えることによって、当該サービス提供システムの使用状況に応じた仲介料を容易かつ確実に徴収することができる。
【００１４】
また、上記課題を解決するためになされた本発明に係るサービス提供方法は、サービスコード提供端末からサービスコードを受信可能なホスト端末とネットワーク通信可能なサービス選択サーバを用い、複数のサービス提供サーバが提供する複数のサービスコンテンツのうちの特定のサービスコンテンツをホスト端末に提供可能に構成されるサービス提供方法であって、上記サービス選択サーバが、上記サービスコードを上記サービス提供サーバの識別情報と関連付けて登録するサービスコード登録ステップと、上記サービスコード提供端末から上記ホスト端末が受信したサービスコードを上記ホスト端末から受信するサービスコード受信ステップと、上記サービスコード受信ステップで受信したサービスコードと上記サービスコード登録ステップで関連付けられたサービス提供サーバの識別情報を、上記サービスコード受信ステップで受信したサービスコードを送信したホスト端末に送信するサービス提供サーバ識別情報送信ステップとを備える。
【００１５】
当該サービス提供方法は、サービスコード提供端末からホスト端末が受信したサービスコードをサービス選択サーバが受信し、このサービス選択サーバが上記サービスコードを基に特定のサービス提供サーバの識別情報をホスト端末に送信することができる。そのため、当該サービス提供方法によると、サービス選択サーバから受信したサービス提供サーバの識別情報に基づいて、上記ホスト端末を特定のサービス提供サーバに接続させることができる。これにより、当該サービス提供方法は、複数のサービス提供サーバが提供する複数のサービスコンテンツのうちの特定のサービスコンテンツを容易かつ確実にホスト端末に提供することができる。
【００１６】
さらに、上記課題を解決するためになされた本発明に係るプログラムは、サービスコード提供端末からサービスコードを受信可能なホスト端末とネットワーク通信可能なサービス選択サーバを用い、複数のサービス提供サーバが提供する複数のサービスコンテンツのうちの特定のサービスコンテンツをホスト端末に提供可能に構成されるサービス提供方法をコンピュータに実行させるためのプログラムであって、上記サービス選択サーバを、上記サービスコードを上記サービス提供サーバの識別情報と関連付けて登録するサービスコード登録手段と、上記サービスコード提供端末から上記ホスト端末が受信したサービスコードを上記ホスト端末から受信するサービスコード受信手段と、上記サービスコード受信手段で受信したサービスコードと上記サービスコード登録手段で関連付けられたサービス提供サーバの識別情報を、上記サービスコード受信手段で受信したサービスコードを送信したホスト端末に送信するサービス提供サーバ識別情報送信手段として機能させる。
【００１７】
当該プログラムによると、サービスコード提供端末からホスト端末が受信したサービスコードをサービス選択サーバが受信し、このサービス選択サーバが上記サービスコードを基に特定のサービス提供サーバの識別情報をホスト端末に送信することができる。そのため、当該プログラムによると、サービス選択サーバから受信したサービス提供サーバの識別情報に基づいて、上記ホスト端末を特定のサービス提供サーバに接続させることができる。これにより、当該プログラムは、複数のサービス提供サーバが提供する複数のサービスコンテンツのうちの特定のサービスコンテンツを容易かつ確実にホスト端末に提供することができる。
【発明の効果】
【００１８】
以上説明したように、本発明のサービス提供システム、サービス提供方法及びプログラムは、複数のサービス提供サーバが提供する複数のサービスコンテンツのうちの特定のサービスコンテンツを容易かつ確実にホスト端末に提供することができる。
【図面の簡単な説明】
【００１９】
【図１】本発明の一実施形態に係るサービス提供システムを示す概略ブロック図である。
【図２】図１のサービス提供システムの通信手段の詳細を示す説明図である。
【図３】図１のサービス提供システムの登録手段の詳細を示す説明図である。
【図４】図１のサービス提供システムのサービスコード及びサービス提供サーバの識別情報の格納状態の一例を示す図である。
【図５】図１のサービス提供システムの動作手順を示すシーケンス図である。
【図６】図１のサービス提供システムとは異なる形態に係るサービス提供システムを示す概略ブロック図である。
【発明を実施するための形態】
【００２０】
以下、適宜図面を参照しつつ、本発明の実施の形態を詳説する。
【００２１】
［第一実施形態］
＜サービス提供システム＞
図１のサービス提供システム１は、サービスコード提供端末２と、ホスト端末３と、サービス選択サーバ４と、サービス提供サーバ５とを備える。サービス選択サーバ４は、サービスコード提供端末２からサービスコードを受信可能なホスト端末３とネットワーク通信可能に構成されている。当該サービス提供システム１は、複数のサービス提供サーバ５（図１では１つのサービス提供サーバ５のみを図示）が提供する複数のサービスコンテンツのうちの特定のサービスコンテンツをホスト端末３に提供可能に構成されている。なお、当該サービス提供システム１は、実際には複数のサービスコード提供端末２及び複数のホスト端末３を有する。ホスト端末３は、例えばスマートフォン、携帯電話、ノートパソコン、タブレット端末等である。複数のサービスコード提供端末２は、例えば飲食店等の店舗や、その他ホスト端末３を所持するユーザが立ち寄る場所に設置される。
【００２２】
（サービスコード提供端末）
サービスコード提供端末２は、演算処理部と、スピーカ及びマイクを含む通信部と、スピーカから発信する超音波の出力の大きさに関する情報を入力する入力部と、スピーカから発信される超音波の進行方向を制御する進行方向制御部と、固定ディスク、リムーバルディスク等から構成される記憶部とを有する。サービスコード提供端末２は、主として通信部によって実現される通信手段１１と、主として演算処理部、入力部及び進行方向制御部によって実現される超音波制御手段１２と、主として記憶部によって実現される記憶手段１３とを有する。サービスコード提供端末２は、超音波によってホスト端末３と近距離無線通信可能な超音波送信装置として構成されている。サービスコード提供端末２は、例えばホスト端末３を所持するユーザによってサービスコード提供端末２の所定のボタンが押された場合に超音波を送信可能に構成されていてもよく、ホスト端末３を所持するユーザの操作にかかわらず常時超音波を送信可能に構成されてもよい。
【００２３】
〔通信手段〕
通信手段１１は、送信手段及び受信手段を有する。上記送信手段は、上記スピーカによって超音波信号を発信する。また、上記受信手段は、上記マイクによって超音波信号を受信する。さらに、通信手段１１は、アンテナによってホスト端末３、サービス選択サーバ４等と通信可能に構成されていてもよい。
【００２４】
〔超音波制御手段〕
超音波制御手段１２は、入力部から入力される情報に従いサービスコード提供端末２から送信される超音波の出力の大きさを制御する。また、超音波制御手段１２は、上記進行方向制御部によってサービスコード提供端末２から送信される超音波の進行方向を制御する。超音波制御手段１２は、用途に応じて超音波の出力及び進行方向を制御可能に構成されており、例えばサービスコード提供端末２から一方向側に５ｃｍ以下、又は１０ｃｍ以下程度離れた位置に存在するホスト端末３に超音波信号を送信可能なように超音波の出力及び進行方向を制御する。
【００２５】
〔記憶手段〕
記憶手段１３は、サービスコード提供端末２の演算処理部が実行する各種動作プログラムや、この動作プログラムの処理に必要となるデータ等を記憶する。また、記憶手段１３は、サービスコンテンツを識別するためのサービスコードを記憶する。このサービスコードとしては、サービスコード提供端末２毎に固有の識別情報（例えばサービスコード提供端末ＩＤ）、各サービスコンテンツに固有のサービス識別情報（例えばサービスコンテンツに固有の文字列）、サービス提供サーバ５の識別情報（例えばサービス提供サーバＩＤ）等を用いることができる。
【００２６】
（ホスト端末）
ホスト端末３は、演算処理部と、アンテナ、スピーカ及びマイクを含む通信部と、プッシュボタン、カーソルキー等の各種ボタン又はタッチパネル等から構成される入力部と、液晶パネル等から構成される表示部と、固定ディスク、リムーバルディスク等から構成される記憶部とを有する。また、ホスト端末３は、主として通信部によって実現される通信手段１４と、主として入力部によって実現される入力手段１５と、主として表示部によって実現される表示手段１６と、主として記憶部によって実現される記憶手段１７とを有する。ホスト端末３は、サービスコード提供端末２と近距離無線通信可能に構成されている。また、ホスト端末３は、サービス選択サーバ４及びサービス提供サーバ５とネットワーク通信可能に構成されている。
【００２７】
〔通信手段〕
通信手段１４は、送信手段及び受信手段を有している。通信手段１４は、アンテナを介してサービス選択サーバ５及びサービス提供サーバ５とのネットワーク通信を行う。また、通信手段１４は、サービスコード提供端末２から発信される超音波信号をマイクによって受信する。
【００２８】
〔入力手段〕
入力手段１５は、ホスト端末３を所持するユーザからの入力を受けて、入力内容をホスト端末３の演算処理部に通知する。
【００２９】
〔表示手段〕
表示手段１６は、ホスト端末３の演算処理部が実行する処理に応じて文字情報や映像・画像情報、操作・動作等に関する情報等を表示する。
【００３０】
〔記憶手段〕
記憶手段１７は、ホスト端末３に予めインストールされたアプリケーションプログラムを記憶する。また、記憶手段１７は、必要に応じてサービス選択サーバ４、サービス提供サーバ５等が提供するアプリケーションプログラムを記憶する。さらに、記憶手段１７は、ホスト端末３の演算処理部が実行する各種動作プログラムや、この動作プログラムの処理に必要となるデータ等を記憶する。
【００３１】
（サービス選択サーバ）
サービス選択サーバ４は、ホスト端末３及びサービス提供サーバ５とネットワーク通信可能に構成されている。サービス選択サーバ４は、演算処理部と、通信部と、固定ディスク、リムーバルディスク等の記憶部とを有する。サービス選択サーバ４は、主として通信部によって実現される通信手段２２と、主として演算処理部によって実現される登録手段２３及び仲介料徴収手段２４と、主として記憶部によって実現される記憶手段２５とを有する。
【００３２】
通信手段２２は、送信手段及び受信手段を有しており、図２に示すように、サービスコード受信手段３１と、サービス提供サーバ識別情報送信手段３２とを含む。登録手段２３は、図３に示すように、サービス提供サーバ識別情報登録手段３３と、サービスコード登録手段３４とを含む。サービスコード受信手段３１、サービス提供サーバ識別情報送信手段３２、サービス提供サーバ識別情報登録手段３３、サービスコード登録手段３４及び仲介料徴収手段２４は、コンピュータプログラムによって実装可能である。サービス選択サーバ４は、１つのコンピュータから構成されてもよく、複数のコンピュータから構成されてもよい。
【００３３】
〔サービス提供サーバ識別情報登録手段〕
サービス提供サーバ識別情報登録手段３３は、後述する複数のサービス提供サーバ５の識別情報（例えばサービス提供サーバＩＤ、アドレス、プロトコル情報等）を登録する。サービス提供サーバ識別情報登録手段３３は、例えばサービス提供サーバ５から送信され、通信手段２２によって受信されたサービス提供サーバ５の識別情報をサービス提供サーバ５毎に整理して記憶部に格納する。
【００３４】
〔サービスコード登録手段〕
サービスコード登録手段３４は、サービスコンテンツを識別するためのサービスコードをサービス提供サーバ識別情報登録手段に登録されたサービス提供サーバ５の識別情報と関連付けて登録する。サービスコード登録手段３４は、例えばサービス提供サーバ５から送信され、通信手段２２によって受信したサービスコードを、図４に示すように、サービス提供サーバ５の識別情報と対応するサービスコードとして記憶部に格納する。サービスコード登録手段３４は、例えばサービス提供サーバ５から、このサービス提供サーバ５の識別情報及びサービスコードが関連付けられたサービス情報を受信することで、上記サービスコードをサービス提供サーバ５の識別情報と関連付けて登録してもよい。この場合、当該サービス提供システム１では、サービスコード登録手段３４がサービス提供サーバ識別情報登録手段３３を含んでいてもよい。なお、上記サービスコードとしては、上述のようにサービスコード提供端末２毎に固有の識別情報（例えばサービスコード提供端末ＩＤ）、各サービスコンテンツに固有のサービス識別情報（例えばサービスコンテンツに固有の文字列）、サービス提供サーバ５の識別情報（例えばサービス提供サーバＩＤ）等を用いることができる。
【００３５】
〔サービスコード受信手段〕
サービスコード受信手段３１は、サービスコード提供端末２からホスト端末３が受信したサービスコードをホスト端末３から受信する。具体的には、当該サービス提供システム１にあっては、まずサービスコード提供端末２とホスト端末３との近距離無線通信（超音波通信）によって、ホスト端末３がサービスコード提供端末２からサービスコードを受信する。サービスコード受信手段３１は、上記近距離無線通信によってホスト端末３が受信したサービスコードをホスト端末３から受信する。なお、通常サービスコード受信手段３１は、上記サービスコードと関連付けてホスト端末３の識別情報を受信する。当該サービス提供システム１は、サービスコード受信手段３１が、サービスコード提供端末２との近距離無線通信によってホスト端末３が受信したサービスコードを受信することによって、ホスト端末３にサービスコンテンツをより容易かつ確実に提供することができる。また、超音波による近距離無線通信によると、用途や設置場所に応じて無線通信範囲を所望の範囲に制御しやすい。そのため、当該サービス提供システム１は、サービス提供端末２が超音波によって近距離無線通信可能な超音波送信装置であることによって、種々の分野のサービスコンテンツを取り扱いやすい。
【００３６】
〔サービス提供サーバ識別情報送信手段〕
サービス提供サーバ識別情報送信手段３２は、サービスコード受信手段３１で受信したサービスコードとサービスコード登録手段３４で関連付けられたサービス提供サーバ５の識別情報を、サービスコード受信手段３１で受信したサービスコードの送信元であるホスト端末３に送信する。具体的には、サービス提供サーバ識別情報送信手段３２では、サービス提供サーバ５又はサービス提供サーバ５が提供するサービスコンテンツにアクセスするためのアドレス及びプロトコル情報を含むサービス提供サーバ５の識別情報をホスト端末３に送信する。
【００３７】
〔仲介料徴収手段〕
仲介料徴収手段２４は、サービス提供サーバ識別情報送信手段３２で識別情報を送信したサービス提供サーバ５側にサービス提供仲介料徴収手続きを行う。具体的には、仲介料徴収手段２４は、サービス提供サーバ識別情報送信手段２３でホスト端末３にサービス提供サーバ５の識別情報を送信すると、この識別情報を有するサービス提供サーバ５に対して仲介料徴収手続きを行う。また、仲介料徴収手段２４は、サービスコード受信手段３１でホスト端末３からサービスコードを受信した際に、サービスコード登録手段３４によってこのサービスコードと関連付けられたサービス提供サーバ５に対して仲介料徴収手続きを行ってもよい。仲介料徴収手段２４は、例えばサービス提供サーバ識別情報送信手段３３でホスト端末３にサービス提供サーバ５の識別情報を送信する都度仲介料徴収手続きを行ってもよく、１か月に１回等、一定の間隔で仲介料徴収手続きを行ってもよい。なお、仲介料徴収手段２４が一定の間隔で仲介料徴収手続きを行う場合、仲介料徴収手段２４はサービス提供サーバ識別情報送信手段３２で識別情報を送信した回数にかかわりなくサービス提供サーバ５から一律の仲介料を徴収してもよい。一方、仲介料徴収手段２４は、サービス提供サーバ識別情報送信手段３２で識別情報を送信した回数又はサービスコード受信手段３１でサービスコードを受信した回数に応じて仲介料を徴収してもよい。この場合、例えばサービスコード受信手段３１が、ホスト端末３からのサービスコードの受信情報を、受信の都度サービス提供サーバ５の識別情報と関連付けて記憶し、仲介料徴収手段２４が一定期間における受信回数に応じて仲介料徴収手続きを行えばよい。当該サービス提供システム１は、仲介料徴収手段２４を備えることによって、当該サービス提供システム１の使用状況に応じた仲介料を容易かつ確実に徴収することができる。
【００３８】
〔記憶手段〕
記憶手段２５は、サービス選択サーバ４の演算処理部が実行する各種動作プログラムや、この動作プログラムの処理に必要となるデータ等を記憶する。
【００３９】
（サービス提供サーバ）
サービス提供サーバ５は、サービス選択サーバ４とネットワーク通信可能に構成されている。サービス提供サーバ５は、演算処理部と、通信部と、固定ディスク、リムーバルディスク等の記憶部とを有する。また、サービス提供サーバ５は、入力部を有していてもよい。サービス提供サーバ５は、主として通信部によって実現される通信手段２６と、主として記憶部によって実現される記憶手段２７とを有する。また、サービス提供サーバ５は、主として入力部によって実現される入力手段を有していてもよい。記憶手段２７は、サービス提供サーバ５の演算処理部が実行する各種動作プログラムや、この動作プログラムの処理に必要となるデータ等を記憶する。また、記憶手段２７は、サービス提供サーバ５が提供するサービスコンテンツ情報を記憶する。
【００４０】
〔通信手段〕
通信手段２６は、送信手段及び受信手段を有している。当該サービス提供システム１にあっては、サービス提供サーバ識別情報送信手段３２によってサービス提供サーバ３２の識別情報を受信したホスト端末３は、別途インストールしたアプリケーションプログラム等からサービス提供サーバ識別情報送信手段３２で送信されたプロトコル情報に合わせたデータセットを作成し、サービス提供サーバ５にサービスコンテンツの送信要求情報を送信する。サービス提供サーバ５の上記受信手段は、このサービスコンテンツの送信要求情報を受信する。また、サービス提供サーバ５は、上記受信手段で受信したデータセットに応じた処理を行い、上記サービスコンテンツの送信要求情報に対応したサービスコンテンツをホスト端末３に送信する。これにより、当該サービス提供システム１は、特定のサービス提供サーバ５が提供する特定のサービスコンテンツを、ホスト端末３からの要求に基づいて、このホスト端末３に提供可能とされている。
【００４１】
＜サービス提供方法＞
次に、図５を参照して、図１のサービス提供システム１を用いたサービス提供方法について説明する。当該サービス提供方法は、サービスコード提供端末２からサービスコードを受信可能なホスト端末３とネットワーク通信可能なサービス選択サーバ４を用い、複数のサービス提供サーバ５が提供するサービスコンテンツのうち特定のサービスコンテンツをホスト端末３に提供可能に構成されている。
【００４２】
（サービス提供サーバ識別情報登録ステップ）
上記サービス提供サーバ識別情報登録ステップ（ＳＴＥＰ１）は、サービス提供サーバ識別情報登録手段３３によって行われる。ＳＴＥＰ１では、複数のサービス提供サーバ５の識別情報を登録する。ＳＴＥＰ１では、例えばサービス提供サーバ５から送信され、通信手段２２によって受信されたサービス提供サーバ５の識別情報をサービス提供サーバ５毎に整理して記憶部に格納する。
【００４３】
（サービスコード登録ステップ）
上記サービスコード登録ステップ（ＳＴＥＰ２）は、サービスコード登録手段３４によって行われる。ＳＴＥＰ２では、サービスコンテンツを識別するためのサービスコードをサービス提供サーバ５の識別情報と関連付けて登録する。ＳＴＥＰ２では、例えばサービス提供サーバ５から送信され、通信手段２２によって受信したサービスコードを、サービス提供サーバ５の識別情報と対応するサービスコードとして記憶部に格納する。ＳＴＥＰ２では、例えばサービス提供サーバ５から、このサービス提供サーバ５の識別情報及びサービスコードが関連付けられたサービス情報を受信することで、上記サービスコードをサービス提供サーバ５の識別情報と関連付けて登録してもよい。この場合、ＳＴＥＰ２は、必ずしもＳＴＥＰ１と別個に行われる必要はなく、ＳＴＥＰ１と同時に行われてもよい。
【００４４】
（サービスコード受信ステップ）
上記サービスコード受信ステップ（ＳＴＥＰ３）は、サービスコード受信手段３１によって行われる。ＳＴＥＰ３では、サービスコード提供端末２からホスト端末３が受信したサービスコードをホスト端末３から受信する。具体的には、当該サービス提供方法にあっては、まずサービスコード提供端末２とホスト端末３との近距離無線通信（超音波通信）によって、ホスト端末３がサービスコード提供端末２からサービスコードを受信する（近距離無線通信ステップ）。この近距離無線通信ステップは、ホスト端末３を所持するユーザによってサービスコード提供端末２の所定のボタンが押された場合に行われてもよく、サービスコード提供端末２から所定の範囲内に存在するホスト端末３に対して自動的に行われてもよい。ＳＴＥＰ３では、上記近距離無線通信によってホスト端末３が受信したサービスコードをホスト端末３から受信する。なお、ＳＴＥＰ３では、上記サービスコードと関連付けてホスト端末３の識別情報を受信する。
【００４５】
（サービス提供サーバ識別情報送信ステップ）
上記サービス提供サーバ識別情報送信ステップ（ＳＴＥＰ４）は、サービス提供サーバ識別情報送信手段３２によって行われる。ＳＴＥＰ４では、ＳＴＥＰ３で受信したサービスコードとＳＴＥＰ２で関連付けられたサービス提供サーバ５の識別情報を、ＳＴＥＰ３で受信したサービスコードを送信したホスト端末３に送信する。具体的には、ＳＴＥＰ４では、サービス提供サーバ５の識別情報として、サービス提供サーバ５又はサービス提供サーバ５が提供するサービスコンテンツにアクセスするためのアドレス及びプロトコル情報を含むサービス提供サーバ５の識別情報をホスト端末３に送信する。
【００４６】
（仲介料徴収ステップ）
上記仲介料徴収ステップ（ＳＴＥＰ５）は、仲介料徴収手段２４によって行われる。ＳＴＥＰ５では、ＳＴＥＰ４で識別情報を送信したサービス提供サーバ５側にサービス提供仲介料徴収手続きを行う。具体的には、ＳＴＥＰ５では、ＳＴＥＰ４でホスト端末３にサービス提供サーバ５の識別情報を送信すると、この識別情報を有するサービス提供サーバ５に対して仲介料徴収手続きを行う。また、ＳＴＥＰ５では、ＳＴＥＰ３でホスト端末３からサービスコードを受信した際に、ＳＴＥＰ２によってこのサービスコードと関連付けられたサービス提供サーバ５に対して仲介料徴収手続きを行ってもよい。ＳＴＥＰ５では、例えばＳＴＥＰ４でホスト端末３にサービス提供サーバ５の識別情報を送信する都度仲介料徴収手続きを行ってもよく、１か月に１回等、一定の間隔で仲介料徴収手続きを行ってもよい。なお、ＳＴＥＰ５が一定の間隔で仲介料徴収手続きを行う場合、ＳＴＥＰ４で識別情報を送信した回数にかかわりなくサービス提供サーバ５から一律の仲介料を徴収してもよい。一方、ＳＴＥＰ５では、ＳＴＥＰ４で識別情報を送信した回数又はＳＴＥＰ３でサービスコードを受信した回数に応じて仲介料を徴収してもよい。この場合、例えばＳＴＥＰ３で、ホスト端末３からのサービスコードの受信情報を、受信の都度サービス提供サーバ５の識別情報と関連付けて記憶し、ＳＴＥＰ５で一定期間における受信回数に応じて仲介料徴収手続きを行えばよい。
【００４７】
なお、当該サービス提供方法では、ＳＴＥＰ４の後に、ホスト端末３からサービス提供サーバ５にサービスコンテンツの送信要求情報を送信するサービスコンテンツ送信要求ステップと、上記サービスコンテンツ送信要求ステップで送信されたサービスコンテンツ送信要求情報をサービス提供サーバ５が受信するサービスコンテンツ送信要求情報受信ステップと、上記サービスコンテンツ送信要求情報受信ステップで受信したサービスコンテンツ送信要求情報に基づいてサービス提供サーバ５からホスト端末３にサービスコンテンツを送信するサービスコンテンツ送信ステップとを備える。
【００４８】
＜利点＞
当該サービス提供システム１は、サービスコード提供端末２からホスト端末３が受信したサービスコードをサービス選択サーバ４が受信し、このサービス選択サーバ４が上記サービスコードを基に特定のサービス提供サーバ５の識別情報をホスト端末３に送信することができる。そのため、当該サービス提供システム１によると、サービス選択サーバ４から受信したサービス提供サーバ５の識別情報に基づいて、ホスト端末３を特定のサービス提供サーバ５に接続させることができる。これにより、当該サービス提供システム１は、複数のサービス提供サーバ５が提供する複数のサービスコンテンツのうちの特定のサービスコンテンツを容易かつ確実にホスト端末３に提供することができる。
【００４９】
当該サービス提供方法は、サービスコード提供端末２からホスト端末３が受信したサービスコードをサービス選択サーバ４が受信し、このサービス選択サーバ４が上記サービスコードを基に特定のサービス提供サーバ５の識別情報をホスト端末３に送信することができる。そのため、当該サービス提供方法によると、サービス選択サーバ４から受信したサービス提供サーバ５の識別情報に基づいて、ホスト端末３を特定のサービス提供サーバ５に接続させることができる。これにより、当該サービス提供方法は、複数のサービス提供サーバ５が提供する複数のサービスコンテンツのうちの特定のサービスコンテンツを容易かつ確実にホスト端末３に提供することができる。
【００５０】
当該プログラムによると、サービスコード提供端末２からホスト端末３が受信したサービスコードをサービス選択サーバ４が受信し、このサービス選択サーバ４が上記サービスコードを基に特定のサービス提供サーバ５の識別情報をホスト端末３に送信することができる。そのため、当該プログラムによると、サービス選択サーバ４から受信したサービス提供サーバ５の識別情報に基づいて、ホスト端末３を特定のサービス提供サーバ５に接続させることができる。これにより、当該プログラムは、複数のサービス提供サーバ５が提供する複数のサービスコンテンツのうちの特定のサービスコンテンツを容易かつ確実にホスト端末３に提供することができる。
【００５１】
＜サービス提供システム＞
図６のサービス提供システム４１は、サービスコード提供端末４２と、ホスト端末３と、サービス選択サーバ４と、サービス提供サーバ５とを備える。サービス選択サーバ４は、サービスコード提供端末４２からサービスコードを受信可能なホスト端末３とネットワーク通信可能に構成されている。当該サービス提供システム４１は、複数のサービス提供サーバ５（図６では１つのサービス提供サーバ５のみを図示）が提供する複数のサービスコンテンツのうちの特定のサービスコンテンツをホスト端末３に提供可能に構成されている。当該サービス提供システム４１は、上記サービスコードが、サービスコード提供端末４２の識別情報及び上記サービスコンテンツに固有のサービス識別情報を含む。具体的には、当該サービス提供システム４１は、上記サービスコードが、サービスコード提供端末４２に固有のサービスコード提供端末ＩＤ及び上記サービスコンテンツを特定する文字列を含む。当該サービス提供システム４１におけるホスト端末３、サービス選択サーバ４及びサービス提供サーバ５としては、図１のサービス提供システム１と同様のため、同一符号を付して説明を省略する。
【００５２】
（サービスコード提供端末）
サービスコード提供端末４２は、演算処理部と、スピーカ及びマイクを含む通信部と、スピーカから発信される超音波の出力の大きさに関する情報を入力する第１入力部と、特定のサービスコンテンツを選択するための第２入力部と、スピーカから発信される超音波の進行方向を制御する進行方向制御部と、固定ディスク、リムーバルディスク等から構成される記憶部とを有する。サービスコード提供端末４２は、主として通信部によって実現される通信手段１１と、主として演算処理部、第１入力部及び進行方向制御部によって実現される超音波制御手段１２と、主として第２入力部及び演算処理部によって実現されるサービス選択手段４３と、主として記憶部によって実現される記憶手段４４とを有する。サービスコード提供端末４２は、超音波によってホスト端末３と近距離無線通信可能な超音波送信装置として構成されている。サービスコード提供端末４２における通信手段１１及び超音波制御手段１２としては、図１のサービス提供システム１と同様のため、同一符号を付して説明を省略する。
【００５３】
〔記憶手段〕
記憶手段４４は、サービスコード提供端末４２の演算処理部が実行する各種動作プログラムや、この動作プログラムの処理に必要となるデータ等を記憶する。また、記憶手段４４は、サービスコード提供端末４２に固有の識別情報と、複数のサービスコンテンツのサービス識別情報とを関連付けて記憶する。換言すると、記憶手段４４は、複数のサービスコンテンツのサービス識別情報がそれぞれサービスコード提供端末４２の識別情報と関連付けられた複数セットのサービスコードを記憶する。
【００５４】
〔サービス選択手段〕
サービス選択手段４３は、記憶手段４４に記憶された複数セットのサービスコードから特定のサービスコードを選択可能に構成されている。例えばサービスコード提供端末４２は、上記第２入力部として上記サービスコードと１対１で対応する複数の入力ボタンを有する。サービスコード提供端末４２は、この入力ボタンがホスト端末３を所持するユーザ等によって押下されると、この入力ボタンに対応するサービスコードを通信手段１１によってホスト端末３に送信可能に構成されている。
【００５５】
＜利点＞
当該サービス提供システム４１は、上記サービスコードが、サービスコード提供端末４２の識別情報及び上記サービスコンテンツに固有のサービス識別情報を含むので、１つのサービスコード提供端末４２に複数のサービス識別情報を記憶させておき、必要なサービスコンテンツをユーザに選択させることができる。
【００５６】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５７】
例えば上記サービスコード受信手段は、必ずしもサービスコード提供端末との近距離無線通信によってホスト端末が受信したサービスコードを受信する必要はなく、例えばＱＲコード（登録商標）を用いてホスト端末が受信したサービスコードを受信してもよい。また、上記サービスコード受信手段が、サービスコード提供端末との近距離無線通信によってホスト端末が受信したサービスコードを受信する場合でも、例えば光無線通信、Ｂｌｕｅｔｏｏｔｈ（登録商標）、Ｂｅａｃｏｎ、Ｗｉ−Ｆｉ、ＲＦＩＤ等によってホスト端末が受信したサービスコードを受信してもよい。
【００５８】
上記サービスコード提供端末は、必ずしも超音波送信装置である必要はなく、例えばスマートフォン、携帯電話、ノートパソコン、タブレット端末等であってもよい。上記サービスコード提供端末がスマートフォンである場合、例えばアプリケーションプログラムのインストール時にサービスコード提供端末の識別情報を確定し、かつこのアプリケーションプログラムによってサービスコンテンツに固有のサービス識別情報を確定することが可能である。
【００５９】
当該サービス提供システムは、必ずしも上記仲介料徴収手段を備えなくてもよい。また、上記仲介料徴収手段を備える場合であっても、具体的な仲介料徴収手順は上記実施形態の構成に限定されるものではない。当該サービス提供システムは、例えば上記サービス選択サーバにサービスコードを登録した際にサービス提供サーバから仲介料を徴収してもよく、サービス選択サーバにサービスコードを登録しているサービス提供サーバから月ごとに一律の仲介料を徴収してもよい。
【００６０】
当該サービス提供システムは、１つのサービス提供サーバが複数のサービスコンテンツを提供可能に構成されていてもよい。この場合、例えばサービス提供サーバ識別情報として、サービスコンテンツ毎のアドレス、プロトコル情報等を設定しておけばよい。
【産業上の利用可能性】
【００６１】
以上のように、本発明のサービス提供システムは、複数のサービス提供サーバが提供する複数のサービスコンテンツのうちの特定のサービスコンテンツを容易かつ確実にホスト端末に提供することができるので、複数のサービスコンテンツを提供可能なシステムとして適している。
【符号の説明】
【００６２】
１，４１  サービス提供システム
２，４２  サービスコード提供端末
３  ホスト端末
４  サービス選択サーバ
５  サービス提供サーバ
１１，１４，２２，２６  通信手段
１２  超音波制御手段
１３，１７，２５，２７，４４  記憶手段
１５  入力手段
１６  表示手段
２３  登録手段
２４  仲介料徴収手段
３１  サービスコード受信手段
３２  サービス提供サーバ識別情報送信手段
３３  サービス提供サーバ識別情報登録手段
３４  サービスコード登録手段
４３  サービス選択手段
【図１】
2018147214.tif 000003
【図２】
2018147214.tif 000004
【図３】
2018147214.tif 000005
【図４】
2018147214.tif 000006
【図５】
2018147214.tif 000007
【図６】
2018147214.tif 000008